【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
第１画像処理手段と、第２画像処理手段と、出力手段とを有する画像処理装置であって、
前記第１画像処理手段は、単一の画像を分割することで得られる複数の分割画像のうちの第１分割画像を取得し、且つ、取得した前記第１分割画像に基づいて、前記第１分割画像の第１部分に含まれる処理対象画素に対する画像処理を当該処理対象画素の周辺画素の値を用いて実行し、
前記第２画像処理手段は、前記複数の分割画像のうち前記第１分割画像と隣接する第２分割画像と、前記第１分割画像の部分画像であって前記第２分割画像に含まれる画素の周辺画素を有する部分画像とを取得し、且つ、取得した前記第１分割画像の部分画像と前記第２分割画像とに基づいて、前記第１分割画像の第２部分に含まれる処理対象画素と前記第２分割画像に含まれる処理対象画素とに対する前記画像処理を各処理対象画素の周辺画素の値を用いて実行し、
前記出力手段は、前記第１画像処理手段による前記画像処理と前記第２画像処理手段による前記画像処理とに基づく処理済み画像であって、前記第１分割画像に対する前記画像処理により得られる画像と前記第２分割画像に対する前記画像処理により得られる画像とを含む処理済み画像を出力することを特徴とする画像処理装置。
【請求項２】
前記第１分割画像の部分画像であって前記第２分割画像に含まれる画素の周辺画素を有する部分画像を、前記第２画像処理手段による前記画像処理のための画像として格納する格納手段を有することを特徴とする請求項１に記載の画像処理装置。
【請求項３】
前記第２画像処理手段により取得される前記第１分割画像の部分画像は、前記第２分割画像に含まれる画素の周辺画素からなる第１の画素群と、前記第１の画素群に含まれる画素の周辺画素からなる第２の画素群とを有することを特徴とする請求項１又は２に記載の画像処理装置。
【請求項４】
前記画像処理は、処理対象画素の周辺画素の値を用いて当該処理対象画素の値を決定するフィルタ処理であることを特徴とする請求項１乃至３の何れか１項に記載の画像処理装置。
【請求項５】
対象の画素に対する周辺画素は、前記フィルタ処理におけるフィルタの大きさに基づいて決まることを特徴とする請求項４に記載の画像処理装置。
【請求項６】
前記第１画像の前記第２部分は、前記第１分割画像のうち前記第１部分を除いた部分であることを特徴とする請求項１乃至５の何れか１項に記載の画像処理装置。
【請求項７】
前記第１分割画像の前記第１部分は、前記第１分割画像のうち、前記第１画像処理手段が前記第２分割画像に含まれる画素の値を用いずに前記画像処理を実行可能な部分であり、
前記第１分割画像の前記第２部分は、前記第１分割画像のうち、前記第２画像処理手段が前記第２分割画像に含まれる画素の値を用いて前記画像処理を実行する部分であることを特徴とする請求項１乃至６の何れか１項に記載の画像処理装置。
【請求項８】
前記第１分割画像は、前記画像処理の走査方向において並び順が前記第２分割画像よりも後の画像であることを特徴とする請求項１乃至７の何れか１項に記載の画像処理装置。
【請求項９】
前記第１画像処理手段は、前記第１分割画像と、前記複数の分割画像のうち前記第２分割画像とは異なる方向で前記第１分割画像と隣接する第３分割画像の部分画像であって前記第１分割画像に含まれる画素の周辺画素を有する部分画像とを取得し、且つ、取得した前記第１分割画像と前記第３分割画像の部分画像とに基づいて、前記第１分割画像の前記第１部分に対する前記画像処理を実行し、
前記第２画像処理手段は、前記第１分割画像の部分画像であって前記第２分割画像に含まれる画素の周辺画素を有する部分画像と、前記第２分割画像と、前記第３分割画像の部分画像であって前記第２分割画像に含まれる画素の周辺画素を有する部分画像と、前記複数の分割画像のうち前記第１分割画像とは異なる方向で前記第２分割画像と隣接する第４分割画像の部分画像であって前記第２分割画像に含まれる画素の周辺画素を有する部分画像とを取得し、且つ、取得した前記第１分割画像の部分画像、前記第２分割画像、前記第３分割画像の部分画像及び前記第４分割画像の部分画像に基づいて、前記第１分割画像の前記第２部分と前記第２分割画像とに対する前記画像処理を実行することを特徴とする請求項１乃至８の何れか１項に記載の画像処理装置。
【請求項１０】
入力された画像に含まれる処理対象画素の周辺画素の値を用いて当該処理対象画素に対する画像処理を実行する複数の画像処理手段と、
単一の画像を分割することで得られる複数の分割画像のうちの第１分割画像を前記複数の画像処理手段のうちの第１画像処理手段に入力し、前記複数の分割画像のうちの前記第１分割画像に隣接する第２分割画像を前記第１画像処理手段に入力しない第１入力手段と、
前記第１分割画像の少なくとも一部分と前記第２分割画像とを、前記複数の画像処理手段のうち前記第１画像処理手段とは異なる第２画像処理手段に入力する第２入力手段と、
前記第１画像処理手段による前記画像処理と前記第２画像処理手段による前記画像処理とに基づいて生成される処理済み画像を出力する出力手段であって、前記第１分割画像に対して前記画像処理が実行されることで得られる画像と前記第２分割画像に対して前記画像処理が実行されることで得られる画像とを含む前記処理済み画像を出力する出力手段とを有することを特徴とする画像処理装置。
【請求項１１】
単一の画像を分割することで得られる複数の分割画像のうちの第１分割画像を第１画像処理手段に入力する第１入力工程と、
前記複数の分割画像のうち前記第１分割画像と隣接する第２分割画像と、前記第１分割画像の部分画像であって前記第２分割画像に含まれる画素の周辺画素を有する部分画像とを第２画像処理手段に入力する第２入力工程と、
前記第１入力工程により入力される前記第１分割画像に基づいて、前記第１画像処理手段により、前記第１分割画像の第１部分に含まれる処理対象画素に対する画像処理を当該処理対象画素の周辺画素の値を用いて実行する第１画像処理工程と、
前記第２入力工程により入力される前記第１分割画像の部分画像と前記第２分割画像とに基づいて、前記第２画像処理手段により、前記第１分割画像の第２部分に含まれる処理対象画素と前記第２分割画像に含まれる処理対象画素とに対する前記画像処理を各処理対象画素の周辺画素の値を用いて実行する第２画像処理工程と、
前記第１画像処理工程における前記画像処理と前記第２画像処理工程における前記画像処理とに基づく処理済み画像を出力する出力工程であって、前記第１分割画像に対する前記画像処理により得られる画像と前記第２分割画像に対する前記画像処理により得られる画像とを含む前記処理済み画像を出力する出力工程とを有することを特徴とする画像処理方法。
【請求項１２】
前記第１分割画像の部分画像であって前記第２分割画像に含まれる画素の周辺画素を有する部分画像を、前記第２入力工程において前記第２画像処理手段に入力される画像として格納する格納工程を有することを特徴とする請求項１１に記載の画像処理方法。
【請求項１３】
前記第２入力工程において前記第２画像処理手段に入力される前記第１分割画像の部分画像は、前記第２分割画像に含まれる画素の周辺画素からなる第１の画素群と、前記第１の画素群に含まれる画素の周辺画素からなる第２の画素群とを有することを特徴とする請求項１１又は１２に記載の画像処理方法。
【請求項１４】
コンピュータを、請求項１乃至１０の何れか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置、画像処理方法及びプログラム
【手続補正３】
【補正対象書類名】明細書
【補正対象項目名】０００１
【補正方法】変更
【補正の内容】
【０００１】
本発明は、画像処理装置、画像処理方法及びプログラムに関し、特に、１フレームの画像を複数の画像に分割して処理するために用いて好適なものである。
【手続補正４】
【補正対象書類名】明細書
【補正対象項目名】０００８
【補正方法】変更
【補正の内容】
【０００８】
本発明の画像処理装置は、第１画像処理手段と、第２画像処理手段と、出力手段とを有する画像処理装置であって、前記第１画像処理手段は、単一の画像を分割することで得られる複数の分割画像のうちの第１分割画像を取得し、且つ、取得した前記第１分割画像に基づいて、前記第１分割画像の第１部分に含まれる処理対象画素に対する画像処理を当該処理対象画素の周辺画素の値を用いて実行し、前記第２画像処理手段は、前記複数の分割画像のうち前記第１分割画像と隣接する第２分割画像と、前記第１分割画像の部分画像であって前記第２分割画像に含まれる画素の周辺画素を有する部分画像とを取得し、且つ、取得した前記第１分割画像の部分画像と前記第２分割画像とに基づいて、前記第１分割画像の第２部分に含まれる処理対象画素と前記第２分割画像に含まれる処理対象画素とに対する前記画像処理を各処理対象画素の周辺画素の値を用いて実行し、前記出力手段は、前記第１画像処理手段による前記画像処理と前記第２画像処理手段による前記画像処理とに基づく処理済み画像であって、前記第１分割画像に対する前記画像処理により得られる画像と前記第２分割画像に対する前記画像処理により得られる画像とを含む処理済み画像を出力することを特徴とする。
【手続補正５】
【補正対象書類名】明細書
【補正対象項目名】００２２
【補正方法】変更
【補正の内容】
【００２２】
ステップＳ４０１において、画像入力部１０１及び画像入力部１０２には、それぞれ分割画像１及び分割画像３が入力される。図５（ａ）、（ｂ）は、それぞれ、画像入力部１０１及び画像入力部１０２に入力される分割画像１、３の一例を示す図である。
図５（ａ）に示すように、分割画像１には、水平方向で隣接する分割画像２の画素のうち、分割画像１に対するフィルタ処理の際に参照される画素がのりしろ画素２Ｌとして付加される。同様に、分割画像３には、水平方向で隣接する分割画像４の画素のうち、分割画像３に対するフィルタ処理の際に参照される画素がのりしろ画素４Ｌとして付加される。
【手続補正６】
【補正対象書類名】明細書
【補正対象項目名】００３３
【補正方法】変更
【補正の内容】
【００３３】
尚、ライン３Ｌ１の画素の値は、前述した第１の画素群（のりしろ画素３Ｔ）として画像格納部１０３に格納されている。また、ライン３Ｌ２の画素の値は、前述した第２の画素群として画像格納部１０３に格納されている。さらに、ライン３Ｌ１、３Ｌ２に隣接する分割画像４の２つの画素は、それぞれ前述した第３、第４の画素群として画像格納部１０３に格納されている。このように、ライン３Ｌ１の画素に対するフィルタ処理を行うために必要な画素の値は、画像処理部１０５で参照することができる。したがって、本実施形態では、前述したように、ステップＳ４０６において、分割画像１の画素に対するフィルタ処理の後に、分割画像１の直下の画素に対するフィルタ処理として、ライン３Ｌ１の画素に対するフィルタ処理が行われる。
【手続補正７】
【補正対象書類名】明細書
【補正対象項目名】００４６
【補正方法】変更
【補正の内容】
【００４６】
そして、画像処理部１０５は、分割画像１と、のりしろ画素２Ｌに対するフィルタ処理を行う。画像処理部１０６は、このフィルタ処理と並行して、分割画像２の画素のうち、フィルタ処理を行うに際し分割画像１を参照する必要がない画素（のりしろ画素２Ｌ以外の画素）に対するフィルタ処理を行う。
【手続補正８】
【補正対象書類名】明細書
【補正対象項目名】００４８
【補正方法】変更
【補正の内容】
【００４８】
図９に示す例では、３つの画像処理装置に、垂直方向で隣接する３つの分割画像（例えば、分割画像１、２、３）が同時に入力され、並列処理が行われる。各分割画像１〜９には、分割画像１〜９に水平方向で隣接する分割画像の画素のうち、分割画像１〜９に対するフィルタ処理を行う際に参照される画素が付加される。例えば、分割画像５には、分割画像５に水平方向で隣接する分割画像２、８の画素のうち、分割画像５に対するフィルタ処理を行う際に参照される画素（のりしろ画素２Ｒ、８Ｌ）が付加される。